【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】記録映画コンテンツ又はフィクション性コンテンツの場面展開システム
【手続補正２】
【補正対象書類名】明細書
【補正対象項目名】特許請求の範囲
【補正方法】変更
【補正の内容】
【特許請求の範囲】
【請求項１】
一つ又は複数の地点の実況映像又は一つ又は複数の移動中の乗り物が移動している地点の実況映像を取得するための実況映像取得手段と、
前記実況映像取得手段により取得された実況映像を外部に送信するための実況映像送信手段と、
「複数の場面又はブロックが所定の流れに従って展開されていく、記録映画コンテンツ、又は、映画（記録映画を除く）、テレビドラマ、アニメーション、ビデオゲーム、漫画、小説、カラオケ、音楽のプロモーションビデオなどのフィクション性コンテンツ」を構成する各場面又は各ブロックであって少なくとも画像又は文字を含む各場面又は各ブロックを、表示装置の画面上で、前記コンテンツの流れに従って、展開して行くための場面展開手段と、
前記場面展開手段により前記コンテンツの或る場面又はブロックが前記表示装置の画面上で展開されているとき、前記実況映像取得手段により取得された実況映像であって前記場面又はブロックと関連する実況映像を、略リアルタイムに前記実況映像送信手段からオンラインで受信するための実況映像受信手段と、
前記実況映像受信手段により受信された実況映像を、前記表示装置の画面上に略リアルタイムに表示するための実況映像表示手段と、
前記実況映像表示手段により表示される実況映像が、前記表示装置の画面上で前記場面又はブロックと関連付けて表示されるように、前記場面展開手段及び／又は前記実況映像表示手段を制御するための制御手段と、
を含むことを特徴とする記録映画コンテンツ又はフィクション性コンテンツの場面展開システム。
【請求項２】
「複数の場面又はブロックが所定の流れに従って展開されていく、記録映画コンテンツ、又は、映画（記録映画を除く）、テレビドラマ、アニメーション、ビデオゲーム、漫画、小説、カラオケ、音楽のプロモーションビデオなどのフィクション性コンテンツ」を構成する各場面又は各ブロックであって少なくとも画像又は文字を含む各場面又は各ブロックを、表示装置の画面上で、前記コンテンツの流れに従って、展開して行くための場面展開手段と、
前記場面展開手段により前記コンテンツの或る場面又はブロックが前記表示装置の画面上で展開されているとき、一つ又は複数の地点の実況映像又は一つ又は複数の移動中の乗り物が移動している地点の実況映像であって前記場面又はブロックと関連する実況映像を、略リアルタイムに外部からオンラインで受信するための実況映像受信手段と、
前記実況映像受信手段により受信された実況映像を、前記表示装置の画面上に略リアルタイムに表示するための実況映像表示手段と、
前記実況映像表示手段により表示される実況映像が、前記表示装置の画面上で前記場面又はブロックと関連付けて表示されるように、前記場面展開手段及び／又は前記実況映像表示手段を制御するための制御手段と、
を含むことを特徴とする記録映画コンテンツ又はフィクション性コンテンツの場面展開システム。
【請求項３】
「複数の場面又はブロックが所定の流れに従って展開されていく、記録映画コンテンツ、又は、ストーリー・シナリオ・脚本・楽曲・演出・振り付けなどにより構成されるフィクション性コンテンツ」を構成する各場面又は各ブロックであって少なくとも画像又は文字を含む各場面又は各ブロックを、表示装置の画面上で、前記コンテンツの流れに従って、展開して行くための場面展開手段と、
一つ又は複数の地点の実況映像又は一つ又は複数の移動中の乗り物が移動している地点の実況映像を特定するための識別データと、前記各場面又は各ブロックに関するデータとを互いに関連付けて記録するための識別データ記録手段と、
前記場面展開手段により前記コンテンツの或る場面又はブロックが前記表示装置の画面上で展開されているとき、前記識別データ記録手段に記録されたデータに基づいて、その場面又はブロックと関連する識別データにより特定される地点の実況映像を、略リアルタイムに外部からオンラインで受信するための実況映像受信手段と、
前記実況映像受信手段により受信された実況映像を、前記表示装置の画面上に略リアルタイムに表示するための実況映像表示手段と、
前記実況映像表示手段により表示される実況映像が、前記表示装置の画面上で前記場面又はブロックと関連付けて表示されるように、前記場面展開手段及び／又は前記実況映像表示手段を制御するための制御手段と、
を含むことを特徴とする記録映画コンテンツ又はフィクション性コンテンツの場面展開システム。
【請求項４】
「複数の場面又はブロックが所定の流れに従って展開されていく、記録映画コンテンツ、又は、ストーリー・シナリオ・脚本・楽曲・演出・振り付けなどにより構成されるフィクション性コンテンツ」を構成する各場面又は各ブロックであって少なくとも画像又は文字を含む各場面又は各ブロックを、表示装置の画面上で、前記コンテンツの流れに従って、展開して行くための場面展開手段と、
一つ又は複数の地点の実況映像又は一つ又は複数の移動中の乗り物が移動している地点の実況映像を特定するための識別データと、キーワードなどの検索用データとを互いに関連付けて記録するためのデータベース手段と、
前記各場面又は各ブロックのデータから、前記各場面又は各ブロックと関連する地点の実況映像を検索するためのキーワードなどの検索用データを抽出するための検索用データ抽出手段と、
前記検索用データ抽出手段により抽出されたキーワードなどの検索用データに基づいて、前記データベース手段から、これと対応する一つ又は複数の地点の実況映像の識別データを求めるための識別データ導出手段と、
前記場面展開手段により前記コンテンツの或る場面又はブロックが前記表示装置の画面上で展開されているとき、前記識別データ導出手段により導出された識別データに基づいて、該当する識別データにより特定される地点の実況映像を、略リアルタイムに外部からオンラインで受信するための実況映像受信手段と、
前記実況映像受信手段により受信された実況映像を、前記表示装置の画面上に略リアルタイムに表示するための実況映像表示手段と、
前記実況映像表示手段により表示される実況映像が、前記表示装置の画面上で前記場面又はブロックと関連付けて表示されるように、前記場面展開手段及び／又は前記実況映像表示手段を制御するための制御手段と、
を含むことを特徴とする記録映画コンテンツ又はフィクション性コンテンツの場面展開システム。
【請求項５】
請求項１から４までのいずれかにおいて、
前記実況映像は、汽車、電車、バス、飛行機、船舶などの所定の移動領域内を移動する乗り物に備えられた実況映像所得手段により取得されるものであって、移動中の乗り物から見える前記移動中の乗り物が移動している地点の実況映像である、ことを特徴とする記録映画コンテンツ又はフィクション性コンテンツの場面展開システム。
【請求項６】
請求項１から４までのいずれかにおいて、
前記制御手段は、前記表示装置の画面上に前記場面又はブロックが表示されているとき、その場面又はブロックの画面の中の一部に前記実況映像が表示されるように、前記場面展開手段及び／又は前記実況映像表示手段を制御するものである、ことを特徴とする記録映画コンテンツ又はフィクション性コンテンツの場面展開システム。
【請求項７】
請求項１から４までのいずれかにおいて、
前記制御手段は、前記表示装置の画面上に前記場面又はブロックが表示されているとき、その場面又はブロックの画面の背景として前記実況映像が表示されるように、前記場面展開手段及び／又は前記実況映像表示手段を制御するものである、ことを特徴とする記録映画コンテンツ又はフィクション性コンテンツの場面展開システム。
【請求項８】
請求項１から４までのいずれかにおいて、
前記映像取得手段が設けられた地点又はその近傍に備えられ、前記映像取得手段が設けられた地点又はその周辺の匂いの情報を取得するための匂い情報取得手段と、
前記映像表示手段の近傍に備えられ、前記映像表示手段により或る実況映像が表示されているとき、前記映像表示手段により表示されている前記実況映像に対応する地点又はその周辺の匂いと同一又は近似した匂いを、前記匂い情報取得手段により取得された匂い情報に基づいて発生させるための匂い発生手段と、
を備えたことを特徴とする、記録映画コンテンツ又はフィクション性コンテンツの場面展開システム。
【手続補正３】
【補正対象書類名】明細書
【補正対象項目名】０００１
【補正方法】変更
【補正の内容】
【０００１】
【発明の詳細な説明】
【発明の属する技術分野】
本発明は、映画、アニメーション、ビデオゲーム（ＴＶゲーム）、表示画面上で展開される漫画、表示画面又はスピーカにより展開される小説などの物語、カラオケ、音楽ＣＤ、音楽ビデオ、テレビ放送用のフィクション性の番組（フィクション性の要素のない報道番組を除く）などのフィクション性のコンテンツの各場面を順次展開していく、フィクション性コンテンツの場面展開システムに関する。また、本発明は、記録映画コンテンツの場面展開システムに関する。
【手続補正４】
【補正対象書類名】明細書
【補正対象項目名】０００４
【補正方法】変更
【補正の内容】
【０００４】
つまり、従来でも、テレビ放送においては、報道番組、スポーツ中継番組、コンサートの中継番組、演劇の中継番組、バラエティ番組の中継番組、などでは、事件、スポーツの試合、コンサートの様子、タレントによるバラエティ形式のやり取りの様子などが、リアルタイムに視聴者に受信されることがある。しかし、これらは、その番組を構成する「各場面そのもの」が、実況映像により構成されているものである。これに対して、本発明は、前記の各番組を構成する各場面そのものは、文字、画像、音楽などのフィクション性のコンテンツで構成されながらも、ユーザーの希望に基づいて、前記の場面と関連させて、各地の実況映像をリアルタイムに又はほぼリアルタイムに表示させることを目的とするものである。つまり、本発明は、ビデオゲームや小説や映画や音楽などのコンテンツの展開の中での各場面毎にその場面と関連する実況映像を提供できるフィクション性のコンテンツの場面展開システムを提供することを目的とする。また、本発明は、記録映画コンテンツの展開の中での各場面毎にその場面と関連する実況映像を提供できる記録映画コンテンツの場面展開システムを提供することを目的とする。
【手続補正５】
【補正対象書類名】明細書
【補正対象項目名】０００５
【補正方法】変更
【補正の内容】
【０００５】
【課題を解決するための手段】
１．一つ又は複数の地点の実況映像又は一つ又は複数の移動中の乗り物が移動している地点の実況映像を取得するための実況映像取得手段と、前記実況映像取得手段により取得された実況映像を外部に送信するための実況映像送信手段と、「複数の場面又はブロックが所定の流れに従って展開されていく、記録映画コンテンツ、又は、映画（記録映画を除く）、テレビドラマ、アニメーション、ビデオゲーム、漫画、小説、カラオケ、音楽のプロモーションビデオなどのフィクション性コンテンツ」を構成する各場面又は各ブロックであって少なくとも画像又は文字を含む各場面又は各ブロックを、表示装置の画面上で、前記コンテンツの流れに従って、展開して行くための場面展開手段と、前記場面展開手段により前記コンテンツの或る場面又はブロックが前記表示装置の画面上で展開されているとき、前記実況映像取得手段により取得された実況映像であって前記場面又はブロックと関連する実況映像を、略リアルタイムに前記実況映像送信手段からオンラインで受信するための実況映像受信手段と、前記実況映像受信手段により受信された実況映像を、前記表示装置の画面上に略リアルタイムに表示するための実況映像表示手段と、前記実況映像表示手段により表示される実況映像が、前記表示装置の画面上で前記場面又はブロックと関連付けて表示されるように、前記場面展開手段及び／又は前記実況映像表示手段を制御するための制御手段と、を含むことを特徴とする記録映画コンテンツ又はフィクション性コンテンツの場面展開システム。
２．「複数の場面又はブロックが所定の流れに従って展開されていく、記録映画コンテンツ、又は、映画（記録映画を除く）、テレビドラマ、アニメーション、ビデオゲーム、漫画、小説、カラオケ、音楽のプロモーションビデオなどのフィクション性コンテンツ」を構成する各場面又は各ブロックであって少なくとも画像又は文字を含む各場面又は各ブロックを、表示装置の画面上で、前記コンテンツの流れに従って、展開して行くための場面展開手段と、前記場面展開手段により前記コンテンツの或る場面又はブロックが前記表示装置の画面上で展開されているとき、一つ又は複数の地点の実況映像又は一つ又は複数の移動中の乗り物が移動している地点の実況映像であって前記場面又はブロックと関連する実況映像を、略リアルタイムに外部からオンラインで受信するための実況映像受信手段と、前記実況映像受信手段により受信された実況映像を、前記表示装置の画面上に略リアルタイムに表示するための実況映像表示手段と、前記実況映像表示手段により表示される実況映像が、前記表示装置の画面上で前記場面又はブロックと関連付けて表示されるように、前記場面展開手段及び／又は前記実況映像表示手段を制御するための制御手段と、を含むことを特徴とする記録映画コンテンツ又はフィクション性コンテンツの場面展開システム。
３．「複数の場面又はブロックが所定の流れに従って展開されていく、記録映画コンテンツ、又は、ストーリー・シナリオ・脚本・楽曲・演出・振り付けなどにより構成されるフィクション性コンテンツ」を構成する各場面又は各ブロックであって少なくとも画像又は文字を含む各場面又は各ブロックを、表示装置の画面上で、前記コンテンツの流れに従って、展開して行くための場面展開手段と、一つ又は複数の地点の実況映像又は一つ又は複数の移動中の乗り物が移動している地点の実況映像を互いに識別するための識別データを、前記各場面又は各ブロックのデータと関連付けて記録するための識別データ記録手段と、前記場面展開手段により前記コンテンツの或る場面又はブロックが前記表示装置の画面上で展開されているとき、前記識別データ記録手段に記録されたデータに基づいて、その場面又はブロックと関連する識別データにより識別される地点の実況映像を、略リアルタイムに外部からオンラインで受信するための実況映像受信手段と、前記実況映像受信手段により受信された実況映像を、前記表示装置の画面上に略リアルタイムに表示するための実況映像表示手段と、前記実況映像表示手段により表示される実況映像が、前記表示装置の画面上で前記場面又はブロックと関連付けて表示されるように、前記場面展開手段及び／又は前記実況映像表示手段を制御するための制御手段と、を含むことを特徴とする記録映画コンテンツ又はフィクション性コンテンツの場面展開システム。
４．「複数の場面又はブロックが所定の流れに従って展開されていく、記録映画コンテンツ、又は、ストーリー・シナリオ・脚本・楽曲・演出・振り付けなどにより構成されるフィクション性コンテンツ」を構成する各場面又は各ブロックであって少なくとも画像又は文字を含む各場面又は各ブロックを、表示装置の画面上で、前記コンテンツの流れに従って、展開して行くための場面展開手段と、一つ又は複数の地点の実況映像又は一つ又は複数の移動中の乗り物が移動している地点の実況映像を互いに識別するための識別データを、キーワードなどの検索用データと関連付けて記録するためのデータベース手段と、前記各場面又は各ブロックのデータから、前記各場面又は各ブロックと関連する地点の実況映像を検索するためのキーワードなどの検索用データを抽出するための検索用データ抽出手段と、前記検索用データ抽出手段により抽出されたキーワードなどの検索用データに基づいて、前記データベース手段から、これと対応する一つ又は複数の地点の実況映像の識別データを求める識別データ導出手段と、前記場面展開手段により前記コンテンツの或る場面又はブロックが前記表示装置の画面上で展開されているとき、前記識別データ導出手段により導出された識別データに基づいて、該当する識別データにより識別される地点の実況映像を、略リアルタイムに外部からオンラインで受信するための実況映像受信手段と、前記実況映像受信手段により受信された実況映像を、前記表示装置の画面上に略リアルタイムに表示するための実況映像表示手段と、前記実況映像表示手段により表示される実況映像が、前記表示装置の画面上で前記場面又はブロックと関連付けて表示されるように、前記場面展開手段及び／又は前記実況映像表示手段を制御するための制御手段と、を含むことを特徴とする記録映画コンテンツ又はフィクション性コンテンツの場面展開システム。